(57)【要約】　　　（修正有）【課題】屋根葺き作業が簡単に行える、屋根葺き板とその取付用吊子との組合せた構造の屋根葺き材を提供する。【解決手段】屋根葺き板１の軒側成形部を吊子９の折返し部１３に当接させるようにし、屋根葺き板１の折曲部３を吊子９の係合部１２に係合させ、つぎに屋根葺き板１の棟側成形部側の後ハゼ６の軒側に吊子９の前ハゼ１１の棟側を当接させ、吊子９の取付部１５の止め釘穴１７から止め釘１９を打ち込み、吊子９を屋根下地１８に止着させる。この作業を繰り返すことにより、屋根葺き作業を簡単に行うことができる。【選択図】　図３
0003097726.tif 000002
【実用新案登録請求の範囲】
【請求項１】
屋根葺き板と吊子とを組合せた構造からなり、前記屋根葺き板は、中央部に傾斜平坦部を有し、該傾斜平坦部の一側部側に前記傾斜平坦部に連続して裏側へ湾曲状に折り曲げられた折曲部を設け、該折曲部の先端をさらに表側へ折り返して重合させた折返し部を形成し、他側部側に前記傾斜平坦部に連続して前方平坦部が設けられ、該前方平坦部に連続して逆Ｖ字状の後ハゼが形成され、該後ハゼに連続して後方平坦部を設け、該後方平坦部の先端を上方の折り返した折返し部を一体成形させて構成すると共に、前記吊子は、中央部に支持部を有し、該支持部の一側部側に連続してＶ字状の前ハゼが形成され、該前ハゼに連続して下方傾斜の係合部を設け、該係合部の先端を裏側へ折り返して重合させた折返し部を形成し、前記支持部の他側部側に連続して下方傾斜部が形成され、該下方傾斜部に連続して取付部を設け、該取付部の先端を上方の折り返した圧接部を一体成形させて構成することを特徴とする屋根葺き材。
【考案の詳細な説明】
【０００１】
【考案の属する技術分野】
本考案は、屋根葺き板とその取付用吊子との組合せた構造の屋根葺き材に関する。
【０００２】
【従来の技術】
従来、防錆用焼き付け塗装などを施した所定巾、長さの金属鋼板に、予め相互係合のための形状を賦形させておき、屋根下地面にあって、前記金属鋼板の複数枚を横葺き形式に相互に係合接続させて葺き込むようにした屋根葺き板が公知となっている。
この種の横葺き形式とした金属鋼板製屋根葺き板は、様々な形式、態様のものが数多く提案されており、なかでも雨仕舞い、すなわち係合部からの雨水の浸水防止などを意図したものが実開昭６１−１６１３２９号公報として公知となっている。
【０００３】
【特許文献】
前記実開昭６１−１６１３２９号公報は、図４に示すように、屋根葺き板Ａの前段側の棟側成形部３に形成された係合溝２１への吊子板Ｂの係合部２５の嵌挿による係合と、屋根下地面に対する吊子板Ｂの取付部２２の止着と、前記屋根葺き板Ａの前段側の棟側形成部３をすっぽり包み込むように被嵌するところの、前記屋根葺き板Ａの前段側の棟側形成部３に形成される下部空間部へ前記屋根葺き板Ａの後段側の軒側形成部２の折返し部１２の引っ掛けによる係合との操作によって、屋根葺き作業を行うものである。
ところが、上記公知技術は、屋根葺き板Ａの前段側の棟側成形部３に形成された係合溝２１への吊子板Ｂの係合部２５の嵌挿による係合ため、屋根葺き作業が面倒であった。
【０００４】
【考案が解決しようとする課題】
そこで、本考案は、屋根葺き作業が簡単に行える、屋根葺き板とその取付用吊子との組合せた構造の屋根葺き材を提供することを目的とする。
【０００５】
【課題を解決するための手段】
そのために、本考案の屋根葺き材は、屋根葺き板と吊子とを組合せた構造からなり、前記屋根葺き板は、中央部に傾斜平坦部を有し、該傾斜平坦部の一側部側に前記傾斜平坦部に連続して裏側へ湾曲状に折り曲げられた折曲部を設け、該折曲部の先端をさらに表側へ折り返して重合させた折返し部を形成し、他側部側に前記傾斜平坦部に連続して前方平坦部が設けられ、該前方平坦部に連続して逆Ｖ字状の後ハゼが形成され、該後ハゼに連続して後方平坦部を設け、該後方平坦部の先端を上方の折り返した折返し部を一体成形させて構成すると共に、前記吊子は、中央部に支持部を有し、該支持部の一側部側に連続してＶ字状の前ハゼが形成され、該前ハゼに連続して下方傾斜の係合部を設け、該係合部の先端を裏側へ折り返して重合させた折返し部を形成し、前記支持部の他側部側に連続して下方傾斜部が形成され、該下方傾斜部に連続して取付部を設け、該取付部の先端を上方の折り返した圧接部を一体成形させて構成するものである。
【０００６】
【考案の実施の形態】
以下、本考案の一実施例を添付図面に基づいて説明する。
図１に示すように、屋根葺き板１は、防錆用焼き付け塗装などを施した所定巾で長尺の金属鋼板を用い、中央部に傾斜平坦部２を有し、該傾斜平坦部２の一側部側に軒側成形部Ａを、他側部側に棟側成形部Ｂをそれぞれ連続して一体成形させて構成する。
前記軒側成形部Ａは、前記傾斜平坦部２に連続して裏側へ湾曲状に折り曲げられた折曲部３を設け、該折曲部３の先端をさらに表側へ折り返して重合させた折返し部４を形成する。
前記棟側成形部Ｂは、前記傾斜平坦部２に連続して前方平坦部５が設けられ、該前方平坦部５に連続して逆Ｖ字状の後ハゼ６が形成され、該後ハゼ６に連続して後方平坦部７を設け、該後方平坦部７の先端を上方の折り返した折返し部８を形成する。
【０００７】
図２に示すように、吊子９は、防錆用焼き付け塗装などを施した所定巾で長尺の金属鋼板を用い、中央部に支持部１０を有し、該支持部１０の一側部側に連続してＶ字状の前ハゼ１１が形成され、該前ハゼ１１に連続して下方傾斜の係合部１２を設け、該係合部１２の先端を裏側へ折り返して重合させた折返し部１３を形成し、他側部側に前記支持部１０に連続して下方傾斜部１４が形成され、該下方傾斜部１４に連続して取付部１５を設け、該取付部１５の先端を上方の折り返した圧接部１６を一体成形する。
なお、前記取付部１５に形成した穴１７は、前記吊子９を屋根下地面に固定する止め釘（図示せず）を打ち込むためのものである。
【０００８】
本考案の屋根葺き材は、前記屋根葺き板１と前記吊子９とを組合せた構造からなる。
次に、本考案の屋根葺き材による屋根葺き作業を図３に基づいて、以下に説明する。
図３の断面図に示すように、ルーフィングを含む野地板、垂木、その他の鉄骨製の屋根部材等の所定の屋根下地１８に対して、まず吊子９の係合部１２を軒側にして前記吊子９の取付部１５の止め釘穴１７から止め釘１９を打ち込み、前記吊子９を屋根下地１８に止着させる。
次に、屋根葺き板１の折曲部３の折返し部４を下側にした状態で、前記屋根葺き板１の軒側成形部Ａを前記吊子９の折返し部１３に当接させるようにし、前記屋根葺き板１の折曲部３を前記吊子９の係合部１２に係合させる。
【０００９】
そして、前記屋根葺き板１の棟側成形部Ｂ側の後ハゼ６の軒側に前記吊子９の前ハゼ１１の棟側を当接させ、前記吊子９の取付部１５の止め釘穴１７から止め釘１９を打ち込み、前記吊子９を屋根下地１８に止着させる。
こうすることにより、前記吊子９の下方傾斜部１４、取付部１５が前記屋根葺き板１の棟側成形部Ｂを押さえ付ける作用をすると共に、前記後ハゼ６と前記前ハゼ１１との密接係合により前記屋根葺き板１が前記吊子９に固定される。
さらに、前記と同様に、前記屋根葺き板１の軒側成形部Ａを前記吊子９の折返し部１３に当接させるようにし、前記屋根葺き板１の折曲部３を前記吊子９の係合部１２に係合させ、つぎに前記屋根葺き板１の棟側成形部Ｂ側の後ハゼ６の軒側に前記吊子９の前ハゼ１１の棟側を当接させ、前記吊子９の取付部１５の止め釘穴１７から止め釘１９を打ち込み、前記吊子９を屋根下地１８に止着させる。
この作業を繰り返すことにより、屋根葺き作業を簡単に行うことができる。
【００１０】
これにより、前記屋根葺き板１を流下する雨水は、表面の傾斜平坦部２を伝って流れ、前記折曲部３の先端から軒側の屋根葺き板１の前方平坦部５へ滴下し、軒側へと流下する。
また、前記折曲部３を下方に回り込んだ雨水は、折返し部４の先端から軒側の屋根葺き板１の前方平坦部５へ滴下し、さらに後ハゼ６と前ハゼ１１との密接係合により、毛細管現象を起こすような回り込み漏水は起こらない。
【００１１】
【効果】
このように、本考案の屋根葺き材は、屋根葺き作業を簡単に行うことができると共に、後ハゼと前ハゼとの密接係合により、毛細管現象を起こすような回り込み漏水は起こらない。
【図面の簡単な説明】
【図１】本考案の屋根葺き板の斜視図である。
【図２】本考案の吊子の斜視図である。
【図３】本考案の屋根葺き材を屋根に葺いた状態の断面図である。
【図４】従来の屋根葺き板と取付け用吊子との組合せ構造の斜視図である。
【符号の説明】
１　屋根葺き板
２　傾斜平坦部
３　折曲部
４　折返し部
５　前方平坦部
６　後ハゼ
７　後方平坦部
８　折返し部
９　吊子
１０　支持部
１１　前ハゼ
１２　係合部
１３　折返し部
１４　下方傾斜部
１５　取付部
１６　圧接部
１７　止め釘穴
１８　屋根下地
１９　止め釘
【図１】
0003097726.tif 000003
【図２】
0003097726.tif 000004
【図３】
0003097726.tif 000005
【図４】
0003097726.tif 000006